(57)【特許請求の範囲】
【請求項１】
フレームユニットと、液晶パネルと、印刷回路板と、チップオンフィルムと、からなる液晶表示装置であって、
前記液晶パネルは、前記フレームユニットの一面に固定され、
前記印刷回路板は、前記フレームユニットの他面に固定され、
前記チップオンフィルムは、前記液晶パネルと前記印刷回路板を接続し、そのうち前記チップオンフィルムの延在経路は調整することができ、
さらに、
少なくとも１つの位置決めブロックを備え、
前記チップオンフィルムは、前記位置決めブロックの表面の一部に沿って延在することによって、延在経路を調整する
ことを特徴とする液晶表示装置。
【請求項２】
請求項１に記載の液晶表示装置において、
前記位置決めブロックは、縦方向に沿って延在する細長い棒状構造である
ことを特徴とする液晶表示装置。
【請求項３】
請求項２に記載の液晶表示装置において、
前記位置決めブロックの断面は、互いに平行して延在する２本の側面を備え、前記２本の側面の第１端部は、前記２本の側面と垂直である底辺によって互いに連結され、前記２本の側面の第２端部は、前記底辺に向背して突出する弧状頂部によって互いに連結される
ことを特徴とする液晶表示装置。
【請求項４】
請求項３に記載の液晶表示装置において、
前記チップオンフィルムは、前記位置決めブロックの２本の側面と弧状頂部に張り合わされて延在する
ことを特徴とする液晶表示装置。
【請求項５】
請求項４に記載の液晶表示装置において、
前記フレームユニットの内部にはバックライトモジュールが固定され、
前記フレームユニットには開口部が設置され、前記位置決めブロックの弧状頂部は、前記開口部を通って前記フレームユニット内部にまで伸びる
ことを特徴とする液晶表示装置。
【請求項６】
請求項１に記載の液晶表示装置において、
前記位置決めブロックは、前記フレームユニットに固定される
ことを特徴とする液晶表示装置。
【請求項７】
請求項１に記載の液晶表示装置において、
前記位置決めブロックの数は、１から３個である、且つ／或いは、前記位置決めブロックと前記フレームユニットは同じ材料を採用する
ことを特徴とする液晶表示装置。
【請求項８】
請求項１に記載の液晶表示装置において、
前記チップオンフィルムの一端は、前記液晶パネルのアレイ基板に接続され、前記フレームユニットに沿って延在し、前記位置決めブロックの表面の一部にまで延在し、最後に前記チップオンフィルムは他端において前記印刷回路板と接続される
ことを特徴とする液晶表示装置。
【請求項９】
請求項８に記載の液晶表示装置において、
前記チップオンフィルムは、前記アレイ基板に用いられるソースチップオンフィルムである
ことを特徴とする液晶表示装置。
【発明の詳細な説明】
【技術分野】
【０００１】
本発明は、２０１４年１０月２０日に提出した申請番号ＣＮ２０１４１０５５７５７７．２・発明名称「液晶表示装置」の先願優先権を要求し、前記先願の内容は引用の方法で本文中に合併される。
【０００２】
本発明は、液晶表示の技術分野に関し、特に、液晶表示装置に関する。
【背景技術】
【０００３】
液晶表示装置の普及が進むにつれて、液晶表示パネルの生産メーカーも増えてきており、同じ寸法の液晶表示パネルであっても、各メーカーのパネル製品の寸法は、程度は様々であるが異なる。これは端末表示製品の設計にとって悩み種であり、どのようにして異なるメーカーのパネル製品に共用できる互換性のある設計にするか考慮する必要がある。
【０００４】
図１は、従来技術における液晶表示装置の構造を示した図である。従来の液晶表示装置は、主に装置の前筐体と、後筐体と、液晶バックライトモジュールと、システム部品と、等からなり、そのうち、液晶バックライトモジュールは、主に前枠とバックライトユニット等の構成部品を備える。そのうち、液晶表示パネルは、２層のガラスと、ゲートチップオンフィルム４（Ｇ−ＣＯＦ，  Ｇａｔｅ−Ｃｈｉｐ  Ｏｎ  Ｆｉｌｍ）と、ソースチップオンフィルム３（Ｓ−ＣＯＦ，  Ｓｏｕｒｃｅ−Ｃｈｉｐ  Ｏｎ  Ｆｉｌｍ）と、印刷回路板５（ＰＣＢ，  Ｐｒｉｎｔ  Ｃｉｒｃｕｉｔ  ｏｎ  Ｂｏａｒｄ）等の部品からなる。図１に示すように、ガラスパネルは、画面表示領域２と画面非表示領域１を備える。
【０００５】
上述の通り、同じ寸法の液晶表示パネルであっても、各メーカーのパネル製品のソースチップオンフィルム３（Ｓ−ＣＯＦ，  Ｓｏｕｒｃｅ−Ｃｈｉｐ  Ｏｎ  Ｆｉｌｍ）の寸法は、程度は様々であるが異なるため、後続のバックライトモジュールをどのように互換性のある設計にするか考慮する必要がある。
【発明の概要】
【発明が解決しようとする課題】
【０００６】
本発明は、互換性が非常に高いバックライトモジュールの設計を採用することによって、生産工程において寸法の異なるチップオンフィルムへの適応を実現する液晶表示装置を提供することを目的とする。
【課題を解決するための手段】
【０００７】
本発明は、フレームユニットと、前記フレームユニットの一面に固定される液晶パネルと、前記フレームユニットの他面に固定される印刷回路板と、前記液晶パネルと前記印刷回路板を接続するチップオンフィルムと、からなり、そのうち前記チップオンフィルムの延在経路は調整することができる。
【０００８】
本発明の液晶表示装置において、チップオンフィルムの延在経路は調整できるため、表示装置の組み立て工程において、チップオンフィルムの型式、寸法の違いが表示装置全体の組み立てに影響を与えることはなく、工程の互換性が非常に高まる。
【０００９】
本発明の液晶表示装置は、少なくとも１つの位置決めブロックを備え、前記チップオンフィルムは、前記位置決めブロックの表面の一部に沿って延在するため、延在経路を調整することができることが好ましい。
【００１０】
前記位置決めブロックは、縦方向に沿って延在する細長い棒状構造であることが好ましい。
【００１１】
前記位置決めブロックの断面は、互いに平行して延在する２本の側面を備え、前記２本の側面の第１端部は、前記２本の側面と垂直である底辺によって互いに連結され、前記２本の側面の第２端部は、前記底辺に向背して突出する弧状頂部によって互いに連結される。
【００１２】
前記チップオンフィルムは、前記位置決めブロックの２本の側面と弧状頂部に張り合わされて延在することが好ましい。
【００１３】
このように、位置決めブロックのチップオンフィルムと張り合わされた部分は、全て非常に滑らかな円状であるとともに角がない。チップオンフィルムの延在経路に影響を及ぼすと同時にチップオンフィルムを損傷しない、弧状頂部の滑らかな構造によって、チップオンフィルムが鋭く先のとがった構造によって破られたり切られたりする可能性がなくなり、表示装置の正常な動作と製品の耐用年数が保証される。他方、底辺（立体的に見ると底面全体）の構造は、平坦な構造であるため、無駄のない構造により据え付けと固定がしやすい上、ぐらつきにくく、表示装置製品全体の構造の安定性と耐用年数が保証される。このように、位置決めブロック自体の形状、構造、位置によって、多くの有益な効果が得られる。
【００１４】
前記フレーム部品内部にはバックライトモジュールが固定され、前記フレームユニットには開口部が設置され、前記位置決めブロックの弧状頂部は、前記開口部を通って前記フレーム部品内部にまで伸びることが好ましい。
【００１５】
この方法により、位置決めブロックの弧状頂部を備える一側は、フレーム部品上の開口部からフレーム部品の内部空間に入ることができ、これにより表示装置内の限られた空間を有効に利用でき、製品全体の無駄のない構造が保証される。同時に、チップオンフィルムの一部は、位置決めブロックがフレーム部品内部に"隠れる"のに伴い、その延在経路を効果的に調整する。
【００１６】
前記位置決めブロックは、前記フレームユニットに固定されることが好ましい。
【００１７】
前記位置決めブロックの数は、１から３個である、且つ／或いは、前記位置決めブロックと前記フレーム部品は同じ材料を採用することが好ましい。この好適な方法によって、生産工程の簡略化と力学的性質によるバランスの良さが保証される。
【００１８】
前記チップオンフィルムの一端は、前記液晶パネルのアレイ基板に接続され、前記フレーム部品に沿って延在し、前記位置決めブロックの表面の一部にまで延在し、最後に前記チップオンフィルムは、他端で前記印刷回路板と接続されることが好ましい。この方法により、印刷回路板からの信号は、チップオンフィルムを通って液晶パネルのアレイ基板にまで伝達され、印加により変化した電場が液晶の偏向に影響を及ぼすことによって、液晶表示装置の表示領域において異なる画面が現れる。
【００１９】
前記チップオンフィルムは、前記アレイ基板に用いられるソースチップオンフィルムであることが好ましい。当然のことながら、これによって限定されるわけではなく、同じ原理により、本発明の技術案に基づいて、アレイ基板に用いられるゲートチップオンフィルムに対して行うこともできる。
【発明の効果】
【００２０】
本発明の液晶表示装置は、互換性に優れ、チップオンフィルムの寸法に関係なく、液晶表示装置に対して同一方式で組み立てることができるため、生産コストを大幅に抑えることができる。さらに、位置決めブロック自体の優れた構造設計により、チップオンフィルムの破損を防ぎつつチップオンフィルムの延在経路を調整することができると同時に、位置決めブロック自体が表示装置のフレームユニットにしっかりと固定される。さらに、製品全体の無駄のない構造が保証される。
【００２１】
上述の技術的特徴は、本発明の目的を達成すれば、各種適切な方法を組み合わせたり、同等の効果の技術的特徴によって代替したりすることができる。
【図面の簡単な説明】
【００２２】
以下に、実施例と図に基づいて、本発明についてさらに詳しく説明する。
【図１】従来技術における液晶表示装置の構造を示した図である。
【図２】本発明に基づく液晶表示装置の断面図である。
【図３】図２の本発明に基づく液晶表示装置における位置決めブロックの拡大図である。
【図４】対比例の第１状況における液晶表示装置の断面図である。
【図５】対比例の第２状況における液晶表示装置の断面図である。
【００２３】
図において、同じ部品には、同じ図記号を使用する。図は、実際の比率の通りではないものとする。
【発明を実施するための形態】
【００２４】
以下に図と組み合わせて、本発明についてさらに詳しく説明する。
【００２５】
図２は、本発明に基づく液晶表示装置の断面図である。
【００２６】
図２において、本発明に基づく液晶表示装置１００は、フレームユニットを備える。フレームユニットは、その構成部品であるフレーム部品として、前枠１０１と、テープ枠１０２と、背板１０６と、を備える。図２から分かる通り、液晶パネル１１０は、フレームユニットの上面に固定され、バックライトモジュール１２０は、フレーム部品内部に固定され、印刷回路板１０５は、フレーム部品の底面に固定される。
【００２７】
液晶パネル１１０は、アレイ基板１０４と、カラーフィルム基板１０９と、アレイ基板１０４とカラーフィルム基板１０９の間に位置する液晶中間層（図には未表示）と、を備える。
【００２８】
バックライトモジュール１２０は、導光板１０８と、導光板１０８の光入力側付近に位置する発光部品（図には未表示）と、導光板１０８の光出力面に位置する光学膜ユニット１０７と、を備える。本発明に基づく技術案は、表示装置におけるバックライトモジュールの光入力方式に特殊な要求はしておらず、側面光光入力式のバックライトモジュールと、垂直入射式のバックライトモジュールに適用することができ、その互換性は高い。バックライトモジュール１２０において、まず発光部品から光線が出力され、その後光線は導光板１０８の光入力側の縁部または光入力面から導光板１０８に入るとともに、導光板１０８の光出力面から射出する。その後、光線は、光学膜ユニット１０７を通って霧状の均一光となり、比較的均等な光線が形成される。光学膜ユニット１０７は、例えば２つの互いに垂直なプリズムシートを備えることができる。
【００２９】
図２から分かる通り、バックライトモジュール１２０は、テープ枠１０２と背板１０６の間に挟み込むように配置される。液晶パネル１１０は、前枠１０１とテープ枠１０２の間に挟み込むように配置され、印刷回路板１０５は、図２には未表示のその他の固定部品（例えば前枠１０１と類似した後枠）によって背板１０６の外側に固定される。
【００３０】
液晶表示装置１００は、さらに液晶パネル１１０と印刷回路板１０５を連結するチップオンフィルム１０３からなり、そのうちチップオンフィルム１０３の延在経路は調整することができる。図２に示す実施例において、チップオンフィルム１０３は、液晶パネル１１０のアレイ基板１０４に用いられるソースチップオンフィルムである。当然のことながら、これによって限定されるわけではなく、同じ原理により、本発明の技術案に基づいて、アレイ基板１０４に用いられるゲートチップオンフィルムに対して行うこともできる。
【００３１】
この方法により、印刷回路板１０５からのソース信号は、ソースチップオンフィルム１０３を通して液晶パネル１１０のアレイ基板１０４に伝達され、印加により変化した電場が液晶の偏向に影響を及ぼすことによって、液晶表示装置の表示領域において異なる画面が現れる。
【００３２】
本発明に基づく液晶表示装置１００において、チップオンフィルム１０３の延在経路は調整することができる。これにより表示装置の据え付け工程において、異なる型番、寸法のチップオンフィルム１０３が表示装置全体の据え付けに影響を及ぼすことはない。工程の互換性が極めて高いため、チップオンフィルム１０３は、その型番、寸法に関わらず、全て同じ組み立て工程を採用して完成させることができ、その他の部品（典型的な例は印刷回路板１０５）の据え付け位置や処理方法を変更する必要がない。
【００３３】
具体的には、好ましい実施例において、チップオンフィルム１０３の延在経路は、位置決めブロック１１１によって調整することができる。
【００３４】
これにより、本発明に基づく液晶表示装置１００は、さらに少なくとも１つの位置決めブロック１１１を備え、チップオンフィルム１０３は、位置決めブロック１１１の表面の一部に沿って延在し、延在経路を調整する。
【００３５】
図２を参照する。位置決めブロック１１１は、縦方向に沿って延在する細長い棒状構造である。そのうち、縦方向とは紙面に垂直の方向である。さらに図３は、図２の本発明に基づく液晶表示装置における位置決めブロック１１１の拡大図である。
【００３６】
図３の拡大図から明らかな通り、位置決めブロック１１１の断面（前記断面の切断方向は紙面に平行な方向、つまり上述の縦方向と互いに垂直）は、互いに平行して延在する２本の側面１１１．１と１１１．２を備え、２本の側面１１１．１と１１１．２の第１端部（下側に位置）は、前記２本の側面１１１．１と１１１．２に垂直である底辺１１１．３によって互いに連結され、前記２本の側面１１１．１と１１１．２の第２端部（上側に位置）は、底辺１１１．３に向背して突出する弧状頂部１１１．４によって互いに連結される。
【００３７】
図２と図３から分かる通り、チップオンフィルム１０３は、位置決めブロック１１１の２本の側面１１１．１と１１１．２と弧状頂部１１１．４に張り合わされて延在する。このように、位置決めブロック１１１のチップオンフィルム１０３と張り合わされた部分は、全て非常に滑らかな円状であるとともに角がない。チップオンフィルム１０３の延在経路に影響を及ぼすと同時にチップオンフィルム１０３を損傷しない、弧状頂部１１１．４の滑らかな構造によって、チップオンフィルム１０３が鋭く先のとがった構造によって破られたり切られたりする可能性がなくなり、表示装置の正常な動作と製品の耐用年数が保証される。他方、位置決めブロック１１１の断面における底辺１１１．３（立体的に見ると底面全体）の構造は、平坦な構造であるため、無駄のない構造により据え付けと固定がしやすい上、ぐらつきにくく、表示装置製品全体の構造の安定性と耐用年数が保証される。このように、位置決めブロック１１１自体の形状、構造、位置によって、多くの有益な効果が得られる。
【００３８】
再度図２を参照する。位置決めブロック１１１自体の配置に関して、位置関係を考慮して、フレームユニットの背板１０６には開口部１０６．１を設置することができ、位置決めブロック１１１の弧状頂部１１１．４は、開口部１０６．１を通って前記フレーム部品内部のバックライトモジュール１２０を収容する内部にまで伸びる。位置決めブロック１１１の弧状頂部１１１．４を備える一側は、フレーム部品に位置する背板１０６上の開口部１０６．１からフレーム部品の内部空間に入り、これにより表示装置内の限られた空間を有効に利用でき、製品全体の無駄のない構造が保証される。同時に、チップオンフィルム１０３の一部は、位置決めブロック１１１がフレーム部品内部に一緒に"隠れる"のに伴い、その延在経路を効果的に調整する。
【００３９】
また、位置決めブロック１１１は、例えば底辺１１１．３において、フレーム部品の背板１０６に固定される。当然のことながら、位置決めブロック１１１は、その他の形式でまたはその他の位置においても、フレーム部品の背板１０６に固定されることができる。
【００４０】
位置決めブロック１１１とフレーム部品（例えば背板１０６）には同じ材料が採用されることで、生産工程が簡略化され、力学的性質においてバランスが保たれる。
【００４１】
当然のことながら、上述の位置決めブロック１１１の配置形式は、類似した配置方法のうちの１つに過ぎない。その他にも多くの方法で行うことができるが、ここではこれ以上贅言しない。
【００４２】
位置決めブロック１１１の数は、１から３個であることが好ましい。位置決めブロック１１１の数、寸法、形状には多くの選択肢があり、具体的な状況に基づいて、必要とされるチップオンフィルム１０３の延在経路を決定することができる。
【００４３】
よって、本発明に基づく液晶表示装置１００を全体的に見る。チップオンフィルム１０３の一端は、前記液晶パネル１１０のアレイ基板１０４に接続され、フレーム部品に沿って延在（例えばテープ枠１０２の外側に沿って延在）し、位置決めブロック１１１の表面の一部（２本の側面１１１．１と１１１．２と、弧状頂部１１１．４）にまで延在し、最後にチップオンフィルム１０３は他端で印刷回路板１０５と接続される。
【００４４】
この方法により、チップオンフィルム１０３の普通の機能が保証され、印刷回路板１０５からの電気信号は、液晶パネル１１０のアレイ基板１０４にまで伝達され、電場の変化により液晶偏向が制御されることによって、必要とされる表示画面が現れる。他方、位置決めブロック１１１を設置することによって、チップオンフィルム１０３の延在経路を調整することができ、同じ据え付け端末工程において、異なる寸法、型番のチップオンフィルム１０３を採用することができ、大幅に表示装置全体の製造方法の互換性が高まり、生産コストが効果的に抑えられる。
【００４５】
本発明に基づく液晶表示装置１００の長所を示すため、以下に設計された対比例の液晶表示装置２００を提供する。
【００４６】
図４は、対比例の第１状況における液晶表示装置の断面図である。図４において、対比例における液晶表示装置２００は、フレーム部品を備える。フレームユニットは、前枠２０１と、テープ枠２０２と、背板２０６と、を備える。図４から分かる通り、液晶パネル２１０は、フレームユニットの上面に固定され、バックライトモジュール２２０は、フレーム部品内部に固定され、印刷回路板２０５は、フレーム部品の底面に固定される。図２に示す液晶表示装置１００と比較して、対比例の液晶表示装置２００では、フレームユニットの背板２０６が、バックライトモジュール２２０の側部にまで連続して延在し、その間に開口部がない。
【００４７】
液晶パネル２１０は、アレイ基板２０４と、カラーフィルム基板２０９と、アレイ基板２０４とカラーフィルム基板２０９の間に位置する液晶中間層（図には未表示）と、を備える。
【００４８】
バックライトモジュール２２０は、導光板２０８と、導光板２０８の光入力側付近に位置する発光部品（図には未表示）と、導光板２０８の光出力面に位置する光学膜ユニット２０７と、を備える。バックライトモジュール２２０において、まず発光部品から光線が出力され、その後光線は導光板２０８の光入力側または光入力面から導光板２０８に入るとともに、導光板２０８の光出力面から射出する。その後、光線は、光学膜ユニット２０７を通って霧状の均一光となり、比較的均等な光線が形成される。
【００４９】
図４から分かる通り、バックライトモジュール２２０は、テープ枠２０２と連続して延在する背板２０６の間に挟み込むように配置される。液晶パネル２１０は、前枠２０１とテープ枠２０２の間に挟み込むように配置され、印刷回路板２０５は、図４には未表示のその他の固定部品（例えば前枠２０１と類似した後枠）によって背板２０６の外側に固定される。
【００５０】
液晶表示装置２００は、さらに液晶パネル２１０と印刷回路板２０５を連結するチップオンフィルム２０３からなり、そのうちチップオンフィルム２０３の延在経路は、固定の方向に沿う。図４に示す対比例において、チップオンフィルム２０３は、アレイ基板２０４に用いられるソースチップオンフィルムである。この方法で、印刷回路板２０５からのソース信号は、ソースチップオンフィルム２０３を通して液晶パネル２１０のアレイ基板２０４に伝達され、印加により変化した電場が液晶の偏向に影響を及ぼすことによって、表示装置２００の表示領域において異なる画面が現れる。
【００５１】
両者を比較して分かる点として、対比例において、位置決めブロックを設置せずにチップオンフィルムの延在経路を調整するため、チップオンフィルムは、固定された延在経路に沿ってのみ折り曲げられ延在する。チップオンフィルム２０３に一端は、液晶パネル２１０のアレイ基板２０４に連結され、フレーム部品に沿って延在（例えばテープ枠２０２の表面に沿って延在）し、他端において印刷回路板２０５と連結される。
【００５２】
よって、対比例の液晶表示装置２００において、印刷回路板２０５と液晶パネル２１０の間の位置関係は、チップオンフィルム２０３の寸法によって制限される。図５は、別の状況下における対比例の液晶表示装置２００である。見て分かる通り、図５において、図４におけるチップオンフィルム２０３の寸法よりさらに大きいチップオンフィルム２０３'が採用されていることによって、図５では、チップオンフィルムの延在がさらに広範囲の空間を占めるため、チップオンフィルム２０３'に十分な取り付け空間を与えるためには、印刷回路板２０５を、対応して右側に移動させる必要がある。これは、同一方式での生産工程において非常に不利であり、互換性が非常に低く、寸法の異なるチップオンフィルムには、専門的に調節し、設計された液晶表示装置の据え付け工程が必要である。
【００５３】
明らかな点として、対比例における液晶表示装置に対して、本発明に基づく液晶表示装置は、高い優位性を備える。まず、本発明に基づく液晶表示装置は、互換性に優れ、チップオンフィルムの寸法に関係なく、液晶表示装置に対して同一方式で組み立てることができるため、生産コストを大幅に抑えることができる。さらに、位置決めブロック自体の優れた構造設計により、チップオンフィルムの破損を防ぎつつチップオンフィルムの延在経路を調整することができると同時に、位置決めブロック自体が表示装置のフレームユニットにしっかりと固定される。さらに、位置決めブロックの製品全体の無駄のない構造が保証される。さらに、位置決めブロックの弧状頂部を備える一側は、フレーム部品背板上の開口部からフレーム部品の内部空間に入り、これにより表示装置内の限られた空間を有効に利用でき、製品全体の無駄のない構造が保証される。
【００５４】
すでに好ましい実施例を参考にして本発明について説明したが、本発明の請求範囲を逸脱しない範囲内で、各種の改良ができるとともに、同等の効果を持つ物で部品の一部を置き換えることができる。特に、構造上の矛盾が存在しない限り、各実施例において指摘した各技術案は、全て任意の方法で組み合わせることができる。本発明は、本文中の特定の実施例によって制限されず、特許請求の範囲内に入る全ての技術案を含む。
【符号の説明】
【００５５】
１          画面非表示領域
２          画面表示領域
３          ソースチップオンフィルム
４          ゲートチップオンフィルム
５          印刷回路板
１００      液晶表示装置
１０１      前枠
１０２      テープ枠
１０３      チップオンフィルム
１０４      アレイ基板
１０５      印刷回路板
１０６      背板
１０６．１  開口部
１０７      光学膜ユニット
１０８      導光板
１０９      カラーフィルム基板
１１０      液晶パネル
１１１      位置決めブロック
１１１．１  側面
１１１．２  側面
１１１．３  底辺
１１１．４  弧状頂部
１２０      バックライトモジュール
２００      液晶表示装置
２０１      前枠
２０２      テープ枠
２０３      チップオンフィルム
２０４      アレイ基板
２０５      印刷回路板
２０６      背板
２０７      光学膜ユニット
２０８      導光板
２０９      カラーフィルム基板
２１０      液晶パネル
２２０      バックライトモジュール
【図１】
0006360974.tif 000002
【図２】
0006360974.tif 000003
【図３】
0006360974.tif 000004
【図４】
0006360974.tif 000005
【図５】
0006360974.tif 000006